(57)【要約】【課題】  低コストで簡単に組み立てることができる物品宙吊用枠体を提供すること。【解決手段】  物品収納凹部を有する合成樹脂薄フィルムの四辺の縁部に沿って４つの板状片を貼着し、各板状片の内側に形成される方形開口部を上記合成樹脂薄フィルムにて閉鎖する物品宙吊用枠体であって、上記方形開口部の各コーナー部にはコーナー連結部を形成し、上記板状片は上記コーナー連結部によってのみ相互に連結されており、上記各板状片を上記合成樹脂薄フィルムの表面に対して直角に同一方向に折り曲げた状態において、上記各コーナー連結部は上記方形開口部の各コーナー部に上記合成樹脂薄フィルムの表面と平行に位置するように構成した。【選択図】  図４
2012062079.tif 000002
【特許請求の範囲】
【請求項１】
物品収納凹部が凹設された略方形の合成樹脂薄フィルムの四辺に沿って４つの板状片を貼着し、上記各板状片の内側に形成される方形開口部を上記合成樹脂薄フィルムにて閉鎖し、
上記方形開口部の各コーナー部には、隣接する上記板状片を連結するコーナー連結部を形成し、上記板状片は上記コーナー連結部によってのみ相互に連結されて方形の枠を形成し、
上記各板状片を上記合成樹脂薄フィルムの表面に対して直角に同方向に折り曲げ、折り曲げた上記各板状片同士を係合することにより上記方形開口部に上記合成樹脂薄フィルムが張設されるように構成し、
上記板状片の上記折り曲げ状態において、上記各コーナー連結部は上記各コーナー部に上記合成樹脂薄フィルムの表面と平行に位置するように形成したものであることを特徴とする物品宙吊用枠体。
【請求項２】
上記コーナー連結部は三角形状であり、その直交する２辺が隣接する上記板状片の上記方形開口部側における各コーナー縁部に一体的に形成されているものであることを特徴とする請求項１記載の物品宙吊用枠体。
【請求項３】
上記板状片の幅は上記物品収納凹部の深さより大きく形成されているものであることを特徴とする請求項１又は２記載の物品宙吊用枠体。
【請求項４】
上記物品収納凹部は上記合成樹脂薄フィルムに対して塑性変形により形成されているものであることを特徴とする請求項１〜３の何れかに記載の物品宙吊用枠体。
【発明の詳細な説明】
【技術分野】
【０００１】
本発明は、苺等の果実或いは他の物品を宙吊り状態で緩衝収納するための物品宙吊用枠体に関するものである。
【背景技術】
【０００２】
従来、柔軟な合成樹脂薄フィルムに複数の果実収納凹部を塑性変形により形成し、当該薄フィルムを方形枠体に被覆又は接着により張設することにより果実等の物品宙吊用枠体を構成することが提案されている（特許文献１の図２０参照）。
【０００３】
この物品宙吊用枠体は、上記フィルムが方形枠体に被覆された状態で、該方形枠体が方形トレーの内部に設置され、その状態で上記果実収納凹部内に果実を宙吊収納するものである（特許文献１の図２０、図２１参照）。
【先行技術文献】
【特許文献】
【０００４】
【特許文献１】特開２００９−９６５４７号
【発明の概要】
【発明が解決しようとする課題】
【０００５】
ところで、上記特許文献１に示される物品宙吊用枠体は、予め方形枠体を形成すると共に、合成樹脂薄フィルムの周囲に枠係合用折曲部を該薄フィルムと一体に成形する必要があるため、より簡易かつ低コストで形成し得る物品宙吊枠体が望まれている。
【０００６】
また、現場において包装材を組み立てる場合を勘案すると、誰もが簡易に物品宙吊用枠体を組み立て得るものであることが望まれている。
【０００７】
本発明は上記従来の課題に鑑みてなされたものであり、低コストで簡単に組み立てることができる物品宙吊用枠体を提供することを目的とする。
【課題を解決するための手段】
【０００８】
上記の目的を達成するため本発明は、
第１に、物品収納凹部が凹設された略方形の合成樹脂薄フィルムの四辺に沿って４つの板状片を貼着し、上記各板状片の内側に形成される方形開口部を上記合成樹脂薄フィルムにて閉鎖し、上記方形開口部の各コーナー部には、隣接する上記板状片を連結するコーナー連結部を形成し、上記板状片は上記コーナー連結部によってのみ相互に連結されて方形の枠を形成し、上記各板状片を上記合成樹脂薄フィルムの表面に対して直角に同方向に折り曲げ、折り曲げた上記各板状片同士を係合することにより上記方形開口部に上記合成樹脂薄フィルムが張設されるように構成し、上記板状片の上記折り曲げ状態において、上記各コーナー連結部は上記各コーナー部に上記合成樹脂薄フィルムの表面と平行に位置するように形成したものであることを特徴とする物品宙吊用枠体により構成される。
【０００９】
このように構成すると、物品宙吊用枠体を構成する方形の枠は、４つの板状片によりなるものであるが、コーナー連結部によって一枚の枠として連結されているので、組み立て前の物品宙吊用枠体も、合成樹脂薄フィルムが貼り着けられた一枚のシート状の枠状体として安価に構成することができ、また、４つの板状片を各々折り曲げるだけで、極めて簡単に、物品宙吊用枠体を構成することができる。また、組み立てられた物品宙吊用枠体はコーナー連結部が合成樹脂薄フィルムの表面と平行に位置しているので、上記枠のコーナー部の補強機能をも発揮し得る。
【００１０】
第２に、上記コーナー連結部は三角形状であり、その直交する２辺が隣接する上記板状片の上記方形開口部側における各コーナー縁部に一体的に形成されているものであることを特徴とする上記第１記載の物品宙吊用枠体により構成される。
【００１１】
このように構成すると、物品宙吊用枠体を構成する方形の枠の面積をできるだけ少なくして安価に形成し得ると共に、コーナー連結部によって枠のコーナー部の補強をも行うことができる。
【００１２】
第３に、上記板状片の幅は上記物品収納凹部の深さより大きく形成されているものであることを特徴とする上記第１又は２記載の物品宙吊用枠体により構成される。
【００１３】
このように構成すると、物品宙吊用枠体を例えば果実収納箱の底面に載置することにより、物品収納凹部内に収納された物品を宙吊状態で支持することができる。
【００１４】
第４に、上記物品収納凹部は上記合成樹脂薄フィルムに対して塑性変形により形成されているものであることを特徴とする上記第１〜３の何れかに記載の物品宙吊用枠体により構成される。
【００１５】
このように構成すると、組み立て前の物品宙吊用枠体を上下に圧縮して複数枚重合させることにより、嵩張らずに運搬、保管等することができる。
【発明の効果】
【００１６】
本発明は上述のように、物品宙吊用枠体を、板状の枠と、その上に貼り着けられた合成樹脂薄フィルムにより安価に構成することができるし、４つの板状片を各々折り曲げるだけで、極めて簡単に物品宙吊用枠体を組み立てることができるので、例えば現場において極めて簡易に組み立てが可能な物品宙吊用枠体を安価に構成することができる。
【００１７】
また、組み立てられた物品宙吊用枠体も、コーナー連結部が合成樹脂薄フィルムの表面と平行に位置しているので、コーナー部の補強機能を有する物品宙吊用枠体を安価に実現し得る。
【００１８】
また合成樹脂薄フィルムの物品収納凹部は塑性変形により形成されたものであるから、組み立て前の物品宙吊用枠体を上下に圧縮して複数枚重合させることにより、嵩張らずに運搬等することができる。
【図面の簡単な説明】
【００１９】
【図１】本発明に係る物品宙吊用枠体に使用する枠の平面図である。
【図２】同上枠体の組み立て前の平面図である。
【図３】同上枠体の組み立ての手順を示す斜視図であり、（イ）は組み立て前、（ロ）（ハ）は組み立てる過程を示すものである。
【図４】同上枠体と果実収納箱の斜視図である。
【図５】同上枠体を果実収納箱に収納した状態の斜視図である。
【図６】同上枠体に使用する合成樹脂薄フィルムの成形状態を示す図である。
【発明を実施するための形態】
【００２０】
以下、本発明に係る果実等の物品宙吊用枠体を詳細に説明する。
【００２１】
図１は、本発明に係る組み立て前の物品宙吊用枠体１０の組み立て前の方形の枠１の正面図、図２は組み立て前の上記枠１に合成樹脂薄フィルム２を貼り付けた状態の同枠体１０の正面図である。
【００２２】
上記合成樹脂薄フィルム２は、表面２’に複数の柔軟な物品収納凹部３が凹設された略方形のフィルムであり、上記物品収納凹部３は横に４個、縦に３個、計１２個形成されている。この合成樹脂薄フィルム２は、ポリエチレン、ポリプロピレン、ポリウレタン、ポリスチレン等の薄膜の熱可塑性合成樹脂薄フィルムが用いられており、その薄フィルムの厚みは、５μｍ〜２５０μｍ、好ましくは１０μｍ〜１５０μｍであり、内容物によって厚みを異ならせるようにする。尚、上記物品収納凹部３における孔３’は通気用の貫通孔である。
【００２３】
この合成樹脂薄フィルム２は、図６に示す真空成型法により形成することができる。即ち、複数の物品収納凹部４が形成され、さらに複数の吸引用貫通孔５が形成された略直方体形状の金型６（図６参照）を網状板７上に水平に載置し、当該金型６上に加熱して軟化させた合成樹脂薄フィルム２を被覆し、その状態で上記吸引用貫通孔５を介して真空吸引（矢印ａ）することで、図３（イ）に示す柔軟な物品収納凹部３を塑性変形により形成し、これにより柔軟な上記合成樹脂薄フィルム２を形成することができる。
【００２４】
この合成樹脂薄フィルム２は、成型後においては図３に示すような立体的形状となっているが、その厚さが極めて薄いため、全体的に上記物品収納凹部３を含めて柔軟性を有しており、２つ折り或いは３つ折りに折り畳む等によりコンパクトに収納できるし、上下方向に積み重ねた場合は、上記物品収納凹部３が上下方向に不定形に圧縮された状態となり、多数の薄フィルム２を積み重ねても嵩張らずに保管、収納、運搬が可能となる。尚、上記凹部３等は不定形に圧縮した後においても、塑性変形しているため元の形状を維持しており、物品を収納することに関して何ら支障はない。
【００２５】
上記合成樹脂薄フィルム２の四辺の縁部２ａ，２ｂ，２ｃ，２ｄに沿って４つの細長い長方形状の板状片８ａ，８ｂ，８ｃ，８ｄを貼着することにより、各板状片８ａ，８ｂ，８ｃ，８ｄの内側に形成される方形開口部９を上記合成樹脂薄フィルム２にて閉鎖するように構成する。尚、上記板状片８ａ〜８ｄは例えば段ボール紙により構成される。また、上記合成樹脂薄フィルム２の面積は図１の上記方形の枠１の外周縁により形成される面積と略同一に形成されており、従って、上記薄フィルム２を上記枠１に宛がうと、上記枠１の表面全体を被覆するように構成されている。
【００２６】
また、上記方形開口部９の各コーナー部９ａ，９ｂ，９ｃ，９ｄには、隣接する板状片８ａ，８ｂ，８ｃ，８ｄを連結する４つの三角形状のコーナー連結部１０ａ，１０ｂ，１０ｃ，１０ｄを形成し、上記板状片８ａ〜８ｄは上記コーナー連結部１０ａ〜１０ｄによってのみ相互に連結されることにより、方形状の枠１が形成されている。上記コーナー連結部１０ａ〜１０ｄの材質も段ボール紙であり、上記板状片と一体に形成される。
【００２７】
即ち、上記４つの板状片８ａ〜８ｄは、基本的には相互に独立して各々四辺における各辺に対応する枠部を構成するものであるが、各板状片８ａ〜８ｄは三角形状の上記コーナー連結部１０ａ〜１０ｄの直交する２辺１１，１１が隣接する板状片（例えば板状片８ａ，８ｂ）の上記方形開口部９側における各コーナー縁部８ａ’，８ｂ’に一体的に形成されている。上記コーナー縁部８ａ’，８ｂ’とは、上記方形開口部９のコーナー部９ａ〜９ｄを構成する隣接する上記板状片８ａ〜８ｄの直交する縁部であり、上記板状片８ｂと８ｃではコーナー縁部８ｂ’，８ｃ’、上記板状片８ｃと８ｄではコーナー縁部８ｃ’，８ｄ’、上記板状片８ｄと８ａではコーナー縁部８ｄ’，８ａ’である。
【００２８】
上記板状片８ａ〜８ｄは、上記合成樹脂薄フィルム２の上記縁部２ａ〜２ｄにおいて接着剤により上記フィルム２の裏面２”側に接着されている。
【００２９】
上記板状片８ａ〜８ｄの内、横方向（長手方向）の板状片８ａ，８ｃは対称形状であり、細長の略長方形状をなし、その両端部の外縁部８ａ”，８ａ”（板状片８ｃでは外縁部８ｃ”，８ｃ”）に外側に向けて末広がり状の一対の係合用切込１３，１３が貫通形成されている。尚、上記係合用切込１３，１３の内側片を切込片１３ａ，１３ａという。上記板状片８ａ〜８ｄの内、縦方向（短辺方向）の板状片８ｂ，８ｄは対称形状であり、細長の略長方形状をなし、その両端部に外側に向けて末広がり状の台形状の溝部１４，１４が各々形成されている。
【００３０】
また、上記横方向の板状片８ａ，８ｃの上記外縁部８ａ”，８ａ”，８ｃ”，８ｃ”の各内側に上記板状片８ｂ，８ｄが位置するように構成されており、後述のように上記板状片８ｂ，８ｄを折り曲げた後、上記板状片８ａ，８ｂを折り曲げた状態において、上記外縁部８ａ”，８ａ”，８ｃ”，８ｃ”を上記板状片８ｂ，８ｄ側に直角に折り曲げることにより、上記溝部１４と上記係合用切込１３の切込片１３ａを重ね合わせることができるように構成されている（図３（ハ）参照）。
【００３１】
そして、上記各板状片８ａ〜８ｄは上記コーナー連結部１０ａ〜１０ｄでのみ相互に連結されているため、上記板状片８ａの両端（外縁部８ａ”，８ａ”）と上記板状片８ｂ，８ｄとの間、及び上記板状片８ｃの両端（外縁部８ｃ”，８ｃ”）と上記板状片８ｂ，８ｄとの間には小間隔の直線状のスリットＳが各々形成されている。
【００３２】
従って、上記枠１は、４つの板状片８ａ〜８ｄによって方形枠状に構成されており、それ自体１枚の一体的な板状に形成される。そして、この枠１は１枚の段ボール紙を図１に示す形状に打ち抜くことにより簡易に形成することができる。
【００３３】
上記構成の合成樹脂薄フィルム２が貼り付けられた平板状の枠１から物品宙吊用枠１０を構成するには、図３に示すように、上記各板状片８ａ〜８ｄを上記合成樹脂薄フィルム２の表面２’（張設面）に対して直角に同一方向に折り曲げると共に、折り曲げた上記各板状片８ａ〜８ｄ同士を上記切込片１３ａと溝部１４を係止させることにより係合し、上記方形開口部９に上記合成樹脂薄フィルム２が張設される（ピンと張った）状態となるように構成する。
【００３４】
そして、上記板状片８ａ〜８ｄを上記合成樹脂薄フィルム２に対して同一方向に折り曲げた状態において、上記各コーナー連結部１０ａ〜１０ｄは上記方形開口部９の各コーナー部９ａ〜９ｄに上記合成樹脂薄フィルム２の表面２’に平行に位置するように構成されている。
【００３５】
上記形成の過程をより具体的に説明すると、図３（イ）の状態から、短辺側の板状片８ｂ，８ｄを上記薄フィルム２に対して同一方向に直角に折り曲げる（図３（ロ））。次に、長辺側の上記板状片８ａ，８ｃを上記薄フィルム２に対して同一方向に直角に折り曲げる（図３（ハ））。
【００３６】
次に、板状片８ａ，８ｃの両側の外縁部８ａ”，８ａ”，８ｃ”，８ｃ”を各々内側に折り曲げて、その切込片１３ａを隣接する板状片８ｂ，８ｄの溝部１４に重ね合わせ、該係合用切込１３の切込片１３ａを上記溝部１４側に折り曲げて、当該切込片１３ａを上記溝部１４内に係合（係止）させることにより、隣接する板状片同士（例えば板状片８ｃと８ｄ）の端部同士を係合する（図３（ハ）参照）。上記外縁部８ａ”，８ｃ”の折り曲げ及び切込片１３ａの溝部１４への係合（係止）は、上記枠１の４つのコーナー部９ａ〜９ｄに対応する板状片８ａ〜８ｄの隣接端部の各々において行う。このようにすることにより、図４上段に示す物品宙吊用枠体１０を形成することができる。
【００３７】
また、上記板状片８ａ〜８ｄの幅Ｔは上記物品収納凹部３の深さＴ’より大きく形成されており、図５に示すように、果実収納箱１９内に上記物品宙吊用枠体１０を収納載置したとき、上記凹部３の底面が上記果実収納箱１９の底面１９ａに接することなく、当該凹部３により苺等の果実を宙吊状態で支持し得るように構成されている。
【００３８】
このように、上記合成樹脂薄フィルム２の表面２’に対して直角に上記板状片８ａ〜８ｄを折り曲げることにより、上記薄フィルム２は上記開口部９に張設された（ピンと張った）状態となる。
【００３９】
かかる物品宙吊用枠体１０は、図４に示す果実収納箱１９内に図５に示すように収納される。上記果実収納箱１９は上面開口有底箱であり、その底面１９ａ上には、長手方向に３つの上向頂点部１５ａ，１５ｂ，１５ｃを有する支持板１５が２列に立設されている。これらの支持板１５，１５は上記底面１９ａに支持板１５の形状に対称形状の切り込み１５’，１５’を入れ、当該切り込み１５’，１５’から支持板１５，１５を起立させることにより構成されている。尚、上記支持板１５は上記底面１９ａとは別部品として構成し、上記底面１９ａ上に立設状態で固定しても良い。
【００４０】
また、上記支持板１５に直交して、その中央の上向頂点部１５ｂ，１５ｂに交差するように２つの上向頂点部１６ａ，１６ｂを有する短片方向の支持板１６が立設固定されている。
【００４１】
そして、上記物品宙吊用枠体１０をその底縁１０’が上記果実収納箱１９の底面１９ａ上に載置されるように、当該果実収納箱１９内に収納載置すると、上記六箇所の上向頂点部１５ａ，１５ｂ，１５ｃは各々上記合成樹脂薄フィルム２の裏面２”側から位置１７ａ，１７ｂ，１７ｃ（六ヶ所）に各々当接して、当該位置を裏面２”側から支持する（図５参照）。
【００４２】
よって、この状態において、上記物品収納凹部３に例えば苺を収納すると、上記物品収納凹部３の柔軟なフィルムは上記苺の下半部に密着して該苺を支持すると共に、上記凹部３は、上記板状片８ａ〜８ｄの上縁部１８及び上向頂点部１５ａ〜１５ｃに支持された状態で、上記苺を吊下状態で収納することができる。
【００４３】
以上のように、本発明は物品宙吊用枠体１０を、板状の枠１と、その上に貼り着けられた合成樹脂薄フィルム２により安価に構成することができるし、板状片８ａ〜８ｄはコーナー連結部１０ａ〜１０ｄにて連結されているので、４つの板状片８ａ〜８ｄを各々同一方向に折り曲げるだけで、極めて簡単に物品宙吊用枠体１０を構成することができ、例えば現場においても極めて簡易に組み立てが可能な物品宙吊用枠体１０を安価に構成することができる。
【００４４】
また、組み立てられた物品宙吊用枠体１０も、コーナー連結部１０ａ〜１０ｄが合成樹脂薄フィルム２の表面と平行に位置しているので、コーナー部９ａ〜９ｄの補強機能を有する物品宙吊用枠体１０を安価に実現し得たものである。
【００４５】
また合成樹脂薄フィルム２の物品収納凹部３は塑性変形により形成された柔軟なものであるから、組み立て前の物品宙吊用枠体１０を上下に圧縮して複数枚重合させることにより、嵩張らずに運搬、保管等することができる。
【産業上の利用可能性】
【００４６】
本発明に係る物品宙吊用枠体は、苺等の果実の緩衝宙吊り包装に適しているが、果実に限らず野菜等の食品の他、電子部品、電気機器の緩衝宙吊り用の物品宙吊用枠体としても利用することができるものである。
【符号の説明】
【００４７】
１              枠
２              合成樹脂薄フィルム
２’            表面
２ａ〜２ｄ      縁部
３              物品収納凹部
８ａ〜８ｄ      板状片
８ａ’〜８ｄ’  コーナー縁部
９              方形開口部
９ａ〜９ｄ      コーナー部
１０            物品宙吊用枠体
１０ａ〜１０ｄ  コーナー連結部
１１            直交する２辺
Ｔ              幅
Ｔ’            深さ
【図１】
2012062079.tif 000003
【図２】
2012062079.tif 000004
【図３】
2012062079.tif 000005
【図４】
2012062079.tif 000006
【図５】
2012062079.tif 000007
【図６】
2012062079.tif 000008